(57)【要約】      （修正有）【課題】練習用睫毛を立ち上げた状態で、エクステンションの装着練習を行うことができる睫毛エクステンション装着練習用マネキン顔を提供する。【解決手段】睫毛エクステンション装着練習用マネキン顔１０であって、人間の眼窩に相当する部分にパーツ嵌め込み用窪みが形成され、軟質樹脂材料で形成され、下目蓋部分１２ａと、人間の指で操作して、この下目蓋部分に対して上方に離間させることが可能な上目蓋部分１２ｂとを含み、上目蓋の下縁に、睫毛エクステンションを装着するための練習用睫毛１４が植毛された睫毛エクステンション装着練習用の着脱可能な目相当パーツ１２が、パーツ嵌め込み用窪みに着脱可能にはめ込まれる。上目蓋部分は、パーツ嵌め込み用窪みの底部に向かって曲面を描いて延びるドーム型部分と、このドーム型部分の上縁から、パーツ嵌め込み用窪みの底部から離れる方向に曲面を描いて延びる立ち上がり部分を備えている。【選択図】図２
0003227063.tif 000002
【実用新案登録請求の範囲】
【請求項１】
睫毛エクステンション装着練習用マネキン顔であって、人間の眼窩に相当する部分にパーツ嵌め込み用窪みが形成され、軟質樹脂材料で形成され、下目蓋部分と、人間の指で操作して、この下目蓋部分に対して上方に離間させることが可能な上目蓋部分とを含み、上目蓋の下縁に、睫毛エクステンションを装着するための練習用睫毛が植毛された睫毛エクステンション装着練習用の着脱可能な目相当パーツが、前記パーツ嵌め込み用窪みに着脱可能にはめ込まれた睫毛エクステンション装着練習用マネキン顔において、
前記上目蓋部分は、人間の上目蓋と同様、角膜に相当する部位の頂部より下側の所定位置に配置された前記下縁から、一旦、マネキン顔前方に向かって角膜に相当する部位の頂部まで延び、次いで、そこから前記パーツ嵌め込み用窪みの底部に向かって前記曲面を描いて延びるドーム型部分と、このドーム型部分の上縁から、前記パーツ嵌め込み用窪みの底部から離れる方向に曲面を描いて延びる立ち上がり部分を備えており、前記ドーム型部分の横方向の中央部における上下方向の幅が、人間の示指を横にして指の腹全体で、該ドーム型部分の操作が可能なように、幅１２．０ｍｍ以上であることを特徴とする睫毛エクステンション装着練習用マネキン顔。
【請求項２】
前記上目蓋部分の前記中央部における上下方向の幅が、１３．０ｍｍ以上であることを特徴とする請求項１の睫毛エクステンション装着練習用マネキン顔。
【請求項３】
前記上目蓋部分の前記中央部における上下方向の幅が、１３．５ｍｍ以上であることを特徴とする請求項１の睫毛エクステンション装着練習用マネキン顔。
【請求項４】
前記軟質樹脂材料が軟質ウレタン樹脂または超軟質ウレタン材料である請求項１〜３のいずれかの睫毛エクステンション装着練習用マネキン顔。
【請求項５】
前記軟質ウレタン樹脂または超軟質ウレタン材料の硬度が、ＡＳＫＥＲ  Ｃ  ５〜２０である請求項４の睫毛エクステンション装着練習用マネキン顔。
【請求項６】
前記軟質ウレタン樹脂または超軟質ウレタン材料の硬度が、ＡＳＫＥＲ  Ｃ  ５〜１５である請求項４の睫毛エクステンション装着練習用マネキン顔。
【請求項７】
前記接着剤がゴム系接着剤である請求項３〜６のいずれかの睫毛エクステンション装着練習用マネキン顔。
【請求項８】
前記ゴム系接着剤が、シクロヘキサン３０〜４０質量％、およびゴム成分２０〜３０質量％を主成分として含む請求項７の睫毛エクステンション装着練習用マネキン顔。
【考案の詳細な説明】
【技術分野】
【０００１】
本考案は、睫毛エクステンション装着練習用マネキン顔に関するものである。
【背景技術】
【０００２】
睫毛エクステンション（以下、単にエクステンションと称することがある）は、人間の睫毛一本一本に装着される。その装着作業は、例えばまつげエクステ技術者等と呼ばれている施術者により行われている。しかしながら、その装着時間には相当の時間を要し。しかも、この装着時には、ピンセット等が用いられて行われるため、危険が伴う。
【０００３】
したがって、その装着には、熟練が必要であり、そのため、十分な練習が必要である。従来は、この練習を、付け睫毛を紙コップやマネキン顔に付け、その付け睫毛の人口毛を用いて行われていたが、これでは、十分な練習ができない。そこで、本件出願人は、特願２０１２−１９３６８０号（特許第５２２６１４９号）で、睫毛エクステンション装着練習用マネキン顔を提案した。
【０００４】
この特願２０１２−１９３６８０号の睫毛エクステンション装着練習用マネキン顔は、人間の睫毛が生えている箇所と同じ瞼の端部に、睫毛エクステンションを装着するための練習用睫毛からなる練習用睫毛列が、複数列植毛されていることを特徴とするものである。
【０００５】
ところで、本願考案の考案者の研究によれば、睫毛エクステンションの装着は、睫毛（人間の）が立ち上がっていた方が容易となることを知見した。そして、更に、本願考案の考案者の研究によれば、この睫毛の立ち上げ作業は、人間の手の指、
特に人差し指の先部分（指の腹）ので、上目蓋の下方部分を引き上げることにより比較的容易行われることも知見した。
【０００６】
本願考案者は、さらに鋭意研究したところ、上記人差し指の腹で、上目蓋を引き上げる際、人差し指を縦にして、上目蓋の中央のみに力を加えて、目蓋を引き上げた場合には、目蓋の中央が大きく引き上げられ、両端部は十分に引き上げられず、よって、両端部の睫毛も良好には立ち上がらないことを知見した。
【０００７】
そこで、本考案の考案者は、種々試したところ、人差し指を横にして、上目蓋の下方部分の横方向全体に力を加えて目蓋を引き上げる場合には、目蓋の横方向全体部分が引き上げられ、睫毛も全体にほぼ均一に引き上げられ、エクステンション装着作業も全体的に容易なものとなる。
ところで、国立開発研究法人産業技術総合研究所（ＡＩＳＴ）の統計によれば、前記上目蓋の引き上げに用いられる人間（日本人）の第２指爪中央指幅（示指の爪のはえぎわから示指先端までの中間の位置における指の幅）の女性の平均値（サンプル数２０３人）が１２．４ｍｍ、男性の平均値（サンプル数３２７人）が１３．９ｍｍ、男女合わせた平均値（サンプル数５３０人）が１３．３ｍｍである。
そして、前記被操作部位幅を、前記平均値を含めた種々の値で、睫毛エクステンション装着練習用マネキン顔を作成し、２０台女性（第２指爪中央指幅はほぼ前記女性の平均値であった）により、上記のような態様での上目蓋の引き上げの実験を行ったところ、前記被操作部位幅は、前記平均値より小さいものであっても、操作を行えるという結論を得た。
【先行技術文献】
【特許文献】
【０００８】
【特許文献１】特許第５２２６１４９号公報
【考案の概要】
【考案が解決しようとする課題】
【０００９】
本考案は、前記知見に基づくもので、上目蓋のドーム型部分の中央部における上下方向の幅を良好に特定することにより、上記した上目蓋の良好な引き上げが可能な目相当パーツを備えた睫毛エクステンション装着練習用マネキン顔を提供することを目的とする。
【課題を解決するための手段】
【００１０】
本考案の上記課題は、以下の（１）〜（８）の構造の睫毛エクステンション装着練習用マネキン顔によって達成することができる。
（１）
睫毛エクステンション装着練習用マネキン顔であって、人間の眼窩に相当する部分にパーツ嵌め込み用窪みが形成され、軟質樹脂材料で形成され、下目蓋部分と、人間の指で操作して、この下目蓋部分に対して上方に離間させることが可能な上目蓋部分とを含み、上目蓋の下縁に、睫毛エクステンションを装着するための練習用睫毛が植毛された睫毛エクステンション装着練習用の着脱可能な目相当パーツが、前記パーツ嵌め込み用窪みに着脱可能にはめ込まれた睫毛エクステンション装着練習用マネキン顔において、
前記上目蓋部分は、人間の上目蓋と同様、角膜に相当する部位の頂部より下側の所定位置に配置された前記下縁から、一旦、マネキン顔前方に向かって角膜に相当する部位の頂部まで延び、次いで、そこから前記パーツ嵌め込み用窪みの底部に向かって前記曲面を描いて延びるドーム型部分と、このドーム型部分の上縁から、前記パーツ嵌め込み用窪みの底部から離れる方向に曲面を描いて延びる立ち上がり部分を備えており、前記ドーム型部分の横方向の中央部における上下方向の幅が、人間の示指を横にして指の腹全体で、該ドーム型部分の操作が可能なように、幅１２．０ｍｍ以上であることを特徴とする睫毛エクステンション装着練習用マネキン顔。
（２）
前記上目蓋部分の前記中央部における上下方向の幅が、１３．０ｍｍ以上であることを特徴とする前記（１）の睫毛エクステンション装着練習用マネキン顔。
（３）
前記上目蓋部分の前記中央部における上下方向の幅が、１３．５ｍｍ以上であることを特徴とする前記（１）の睫毛エクステンション装着練習用マネキン顔。
（４）
前記軟質樹脂材料が軟質ウレタン樹脂または超軟質ウレタン材料である前記（１）〜（３）のいずれかの睫毛エクステンション装着練習用マネキン顔。
（５）
前記軟質ウレタン樹脂または超軟質ウレタン材料の硬度が、ＡＳＫＥＲ  Ｃ  ５〜２０である前記（４）の睫毛エクステンション装着練習用マネキン顔。
（６）
前記軟質ウレタン樹脂または超軟質ウレタン材料の硬度が、ＡＳＫＥＲ  Ｃ  ５〜１５である前記（４）の睫毛エクステンション装着練習用マネキン顔。
（７）
前記接着剤がゴム系接着剤である前記（３）〜（６）のいずれかの睫毛エクステンション装着練習用マネキン顔。
（８）
前記ゴム系接着剤が、シクロヘキサン３０〜４０質量％、およびゴム成分２０〜３０質量％を主成分として含む前記（７）の睫毛エクステンション装着練習用マネキン顔。
【考案の効果】
【００１１】
本考案の睫毛エクステンション装着練習用マネキン顔においては、上記したように、前記目相当パーツの上目蓋部分の前記ドーム型部分の中央部における上下方向の幅（以下、「被操作部位幅」と称す）が、１２．０ｍｍ以上に設定されている、
このような睫毛エクステンション装着練習用マネキン顔を用いての睫毛エクステンションの装着の練習等を行う研修生（美容学校の生徒）の大半が若い層の女性であることを考えると、この構成の本考案の睫毛エクステンション装着練習用マネキン顔は、多くの者が使用でき、量産に耐えうるものである。
また、この睫毛エクステンション装着練習用マネキン顔を用いて技能試験を行う場合も、皆条件が同じとすることができるので、公正に試験が行われる。
【図面の簡単な説明】
【００１２】
【図１】本考案の実施の形態による睫毛エクステンション装着練習用マネキン顔の正面図である。
【図２】図１に示した睫毛エクステンション装着練習用マネキン顔の側面図で、（ａ）はそのままの状態のマネキン顔の側面図、そして、（ｂ）は、上目蓋部分を引き上げる際の示指の状態を示す図である。
【図３】図１に示した睫毛エクステンション装着練習用マネキン顔の目相当パーツが嵌め込まれた状態を説明するための部分斜視図である。
【図４】図１のマネキン顔において目相当パーツを取り外した状態で示した図である。
【図５】（ａ）〜（ｄ）は、本考案の実施の形態による睫毛エクステンション装着練習用マネキン顔を用いての睫毛エクステンションの装着手順を示す図である。
【図６】（ａ）は、図５の（ａ）に示した状態を斜視図で示した図であり、（ｂ）は図５の（ｂ）または（ｃ）に示した状態を斜視図で示した図である。
【考案を実施するための形態】
【００１３】
以下、添付図面を参照しつつ、本考案の実施形態による睫毛エクステンション装着練習用マネキン顔について説明する。ここで睫毛エクステンションとは、人間の睫毛を延長するために用いられる人工睫毛であって、人間の睫毛の一本一本に装着されて使用される。
【００１４】
図１に示した本考案の実施形態による睫毛エクステンション装着練習用マネキン顔１０は、  マネキン顔本体１０ａ、およびこのマネキン顔本体１０ａに対して図４に示したように取り替え（着脱）可能であり、練習用睫毛１４（符号「１４」は、上睫毛と称することもある）が植毛された目相当パーツ１２を備えている。マネキン顔本体１０ａは、シリコーン樹脂のような人間の肌の感触に近い素材で形成され、取り替え用目相当パーツ１２は、軟質樹脂材料で形成されていることが好ましい。マネキン顔本体１０ａと取り替え用目相当パーツ１２は、同じ材料で形成されていてもよい。前記軟質樹脂材料は、軟質ウレタン樹脂または超軟質ウレタン樹脂材料であることが好ましい。すなわち、前記軟質ウレタン樹脂または超軟質ウレタン樹脂材料の硬度は、ＡＳＫＥＲ  Ｃ  ５〜２０、特に、ＡＳＫＥＲ  Ｃ  ５〜１５であることが好ましい。
【００１５】
前記マネキン顔本体１０ａには、人間の眼窩に相当する部分にパーツ嵌め込み用窪み１１（図４参照）が形成され、この窪み１１に、前記目相当パーツ１２が、取り外し可能に嵌め込まれている。この目相当パーツ１２は、マネキン顔本体１０ａに装着されたとき、特別な手段を用いずに、マネキン顔本体１０ａに対して固定されるものが好ましい。
【００１６】
この目相当パーツ１２は、上記したように軟質樹脂材料で形成され、下目蓋部分１２ａと、人間の指（示指（一般に、人差し指と称されている））の腹で操作して、前記下目蓋部分１２ａに対して、その下縁を上方に離間させることが可能な上目蓋部分１２ｂとを含んでいる。上目蓋１２ｂの下縁には、上記したように、睫毛エクステンション（図５の（ｃ）に符号Ｅで示した）を装着するための練習用の上睫毛１４が植毛されている。
【００１７】
上記したように、前記目相当パーツ１２には、下目蓋部分１２ａと上目蓋部分１２ｂを分離するための境界線となり、しかも、上目蓋部分１２ｂの下縁のほぼ全体を引き上げることを可能にするため、図５（ａ）に最も良く示されているように、目相当パーツ１２に斜め上方に所定長さ切り込み形成された切り込みＣが設けられている。前記目相当パーツ１２は、上記したように軟質ウレタン樹脂または超軟質ウレタン樹脂で形成されているので、この切り込みＣにより、図５（ｂ）に示されているように、その下縁が上向き加減に引き上げられ、これにより上睫毛１４も、図５（ａ）の下向きの状態から、図５（ｂ）に示された上向きの状態に移動させられる。本考案にあっては、目相当パーツ１２を形成する軟質材料の選択と、この切り込みＣの切り込み角度（なるべく表皮表面と切り込みの間の層が薄くなるような鋭角（表皮から見て）、深さ（少なくとも前記ドーム型部分の頂部を超えた位置まで延びるようにする）、幅（前記ドーム型部分の幅方向全長に亘るようにする）の適宜なる設定と、作業者が横にした指の腹全体により操作することにより、上睫毛の長さ方向のほぼ全体の引き上げを可能とした。
【００１８】
上睫毛１４をこの状態とすることにより、練習者等は、図５（ｃ）に示した様に、睫毛エクステンションＥをこの上向きの上睫毛１４に装着し易くなる。なお、図においては、装着される睫毛エクステンションＥを束の形態で示したが、睫毛エクステンションＥは、実際には、１本、一本装着される。
【００１９】
前記上目蓋部分１２ｂは、図５の（ａ）に良く示されているように、人間の上目蓋と同様、角膜に相当する部位の頂部より下側の所定位置に配置された前記下縁から、一旦、マネキン顔前方に向かって角膜に相当する部位の頂部まで延び、次いで、そこから前記パーツ嵌め込み用窪みの底部に向かって前記曲面を描いて延びるドーム型部分１２ｂ−１と、このドーム型部分の上縁から、前記パーツ嵌め込み用窪み１１の底部から離れる方向に曲面を描いて延びる立ち上がり部分１２ｂ−２を備えている。
【００２０】
上記したように、人間の横にした示指の腹で上目蓋１２ｂを操作するのに都合がよいように、前記ドーム型部分１２ｂ−１の横方向の中央部における上下方向の幅Ｗ（が、１２．０ｍｍ以上に設定する。男女両用として形成する場合は、１３ｍｍ以上、男性のみのためのものである場合には、１３．５ｍｍ以上であることが好ましい。
【００２１】
前記国立開発研究法人産業技術総合研究所（ＡＩＳＴ）の調査によれば、前記上目蓋の引き上げに用いられる人間（日本人）の第２指爪中央指幅（示指の爪のはえぎわから示指先端までの中間の位置における指の幅）の女性の最大値が１４．０ｍｍ、男性の最大値が１６．０であるので、これを考慮して、前記幅は、女性用の場合、１４．０ｍｍ、男性用の場合、１６．０ｍｍ程度とすれば良い。
【００２２】
上記練習用睫毛１４は、例えば、合成樹脂（典型的には、ナイロン、ポリプチレンテレフタレート、ポリエステル、アクリル、塩化ビニール）、または天然素材の材料（例えば、動物由来の材料（典型的には、人毛、獣毛（狸、ミンクなどの毛）、または、シルク）、植物由来の材料（典型的には綿））から形成されている。この練習用睫毛１４の素材は、エクステンション（図示せず）の装着練習用になるならどのような素材を用いることも可能である。
【００２３】
前記練習用睫毛１４は、ランダムに配置されて植毛されていてもよいが、人間の睫毛のように睫毛列として構成されて植毛されていることが好ましい。この睫毛列は、人間の睫毛列の睫毛配列構造と同じか近似する睫毛列が植毛されていることが好ましい。すなわち、人間の睫毛列においては、睫毛が単に一直線に並んでおらず、ジグザグに並んでいる場合のほうがむしろ一般的であるので、そのように配置してもよい。
また、睫毛の太さやこしは、年、人種等によって異なるので、それらが異なった目相当パーツを準備することが好ましい。
【００２４】
練習（研修）にあたっては、練習者が、当初図５（ａ）（この状態斜視図：図６（ａ））の形態から示指を横にして、その腹全体を前記上目蓋部分１２ｂのドーム型部分１２ｂ−１にあてがい、その状態で上に移動させることにより、図５（ｂ）（この状態斜視図：図６（ｂ））に示したように、上睫毛１４が植毛されたその下縁が上向きに引き上げられ、これにより上睫毛１４も、図５（ａ）の下向きの状態から、図５（ｂ）に示された上向きの状態に移動させられる。この上睫毛１４の引き上げは、上記したように、横向きにした指の腹全体で、上目蓋部分の下縁の長手方向の全体を引き上げることが可能であるので、上睫毛が局所的でなく、全体的に引き上げられる。
【００２５】
図５（ｃ）、（ｄ）では、そのまま、指で押さえて置く状態を示したが、睫毛エクステンションの装着作業のためには、接着テープ等で、この状態を維持（固定）して置くことが好ましい。
上睫毛１４をこの上向きの状態とすることにより、練習者等は、図５（ｃ）に示した様に、睫毛エクステンションＣをこの上向きの上睫毛１４に装着し易くなる。なお、図においては、装着される睫毛エクステンションＥを束の形態で示したが、睫毛エクステンションＥは、実際には、１本、一本装着されて、図（ｄ）の完成状態となる。
【００２６】
練習者による実際の睫毛エクステンションの装着は、一方の手（手の平をマネキン顔１０のおでこの部分に載せた状態で）で把持したピンセットでエクステンションを装着すべき練習用睫毛１４一本を取り分け、これに、他方の手（手の平をマネキン顔１０のおでこの部分に載せた状態で）で把持したピンセットで把持したエクステンションを装着する。この装着には、例えば、グルーと呼ばれる接着剤が用いられる。
【００２７】
エクステンションの睫毛列への装着の練習が終了した際には、現在、マネキン顔１０に装着されている目相当パーツ１２を取り外し、新たな目相当パーツ１２と取り替え、次の練習用として準備する。
【００２８】
以上説明したように、本考案においては、練習者が、練習用睫毛を立ち上げた状態で、エクステンションの装着練習を行うことができるので、従来のものにくらべると、睫毛エクステンション装着練習の際、上睫毛の幅方向のほぼ全体を引き上げることが可能となり、上睫毛全体の端の部分の睫毛まで、睫毛エクステンションの装着が容易となる。
【符号の説明】
【００２９】
１０  睫毛エクステンション装着練習用マネキン顔
１０ａ  マネキン顔本体
１２  目相当パーツ
１２ａ  下目蓋部分
１２ｂ  上目蓋部分
１４  練習用睫毛（上睫毛）
Ｃ  切り込み
【図１】
0003227063.tif 000003
【図２】
0003227063.tif 000004
【図３】
0003227063.tif 000005
【図４】
0003227063.tif 000006
【図５】
0003227063.tif 000007
【図６】
0003227063.tif 000008